(57)【要約】【課題】  不特定多数の人が見るための大型ディスプレイの表示画面の一部の領域に、不特定多数の人には見られたくない個人向け情報を、秘匿性を確保しつつ、表示する。【解決手段】  情報表示システム１０００は、特定人が個人向けコンテンツをみるために、表示部１００の表示画面上に、視野角を制限するためのフィルタ１０４を設置したときに、その設置領域を検出し、表示画面上において、フィルタ１０４が設置されていない領域を表示領域Ｒ１として設定するとともに、フィルタ１０４が設置されている領域を表示領域Ｒ２として設定する。そして、表示領域Ｒ１に、一般向けコンテンツを表示し、表示領域Ｒ２に、個人向けコンテンツを表示する。【選択図】  図１
2006162929.tif 000002
【特許請求の範囲】
【請求項１】
所定の情報を表示する情報表示装置であって、
前記情報を表示画面上に表示するための表示部と、
前記表示画面上の一部に設置され、視野角を制限するための所定のフィルタと、
前記表示部を制御する表示制御部と、を備え、
前記表示制御部は、
前記表示画面上において、前記フィルタが設置されていない領域を、第１の表示領域として設定するとともに、前記フィルタが設置されている領域を、第２の表示領域として設定し、
前記第１の表示領域に、不特定多数人向けの情報を表示しつつ、前記第２の表示領域に、特定人向けの情報を表示するように、前記表示部を制御する、
情報表示装置。
【請求項２】
請求項１記載の情報表示装置であって、
前記フィルタは、前記表示画面上の所定の位置に固定されている、
情報表示装置。
【請求項３】
請求項１記載の情報表示装置であって、
前記フィルタは、前記表示画面上の任意の位置に着脱自在に設置可能であり、
前記情報表示装置は、さらに、前記フィルタが前記表示画面上に設置されたときに、該設置された領域を検出するための検出部を備え、
前記表示制御部は、前記検出された領域を、前記第２の表示領域として設定する、
情報表示装置。
【請求項４】
請求項３記載の情報表示装置であって、
前記表示画面上に前記フィルタが複数設置されたときに、前記表示制御部は、前記複数のフィルタのそれぞれに対応して、複数の前記第２の表示領域を設定するとともに、前記検出部は、前記複数のフィルタ間の距離を検出し、
前記表示制御部は、前記検出された複数のフィルタ間の距離のうち、第１のフィルタと第２のフィルタとの間の距離が所定値以下のときに、前記第１のフィルタ、および、前記第２のフィルタのそれぞれに対応する前記第２の表示領域のうちの少なくとも１つについて、前記特定人向けの情報の表示を禁止する、
情報表示装置。
【請求項５】
請求項３記載の情報表示装置であって、
前記表示画面上に前記フィルタが複数設置されたときに、前記表示制御部は、前記複数のフィルタのそれぞれに対応して、複数の前記第２の表示領域を設定するとともに、前記検出部は、前記複数のフィルタ間の距離を検出し、
前記表示制御部は、前記検出された複数のフィルタ間の距離のうち、第１のフィルタと第２のフィルタとの間の距離が所定値以下のときに、前記第１のフィルタ、および、第２のフィルタのそれぞれに対応する前記第２の表示領域のうちの少なくとも１つに、前記特定人向けの情報が他人に見られるおそれがある旨の警告情報を表示する、
情報表示装置。
【請求項６】
所定の情報を表示する情報表示装置であって、
前記情報を表示画面上に表示するための表示部と、
前記表示画面の前面の少なくとも一部に設置され、前記表示画面の少なくとも一部の領域の視野角を制御可能なフィルタ装置と、
前記フィルタ装置を制御するフィルタ制御部と、
前記表示部を制御する表示制御部と、を備え、
前記表示制御部は、
前記フィルタ装置が設置されている前記表示画面上において、所定領域を設定し、
前記表示画面上において、前記設定された所定領域以外の領域を、第１の表示領域として設定するとともに、前記設定された所定領域を、第２の表示領域として設定し、
前記第１の表示領域に、不特定多数人向けの情報を表示しつつ、前記第２の表示領域に、特定人向けの情報を表示するように、前記表示部を制御し、
前記フィルタ制御部は、
前記第２の表示領域に表示された表示内容を、前記特定人のみが視認可能なように、前記第２の表示領域の視野角が狭くなるように、前記フィルタ装置を制御する、
情報表示装置。
【請求項７】
請求項６記載の情報表示装置であって、さらに、
前記フィルタ装置が設置されている前記表示画面上において、前記特定人によって位置が指定されたときに、該指定された位置を検出するための検出部を備え、
前記表示制御部は、前記検出された位置に基づいて、前記所定領域を設定する、
情報表示装置。
【請求項８】
請求項１ないし７のいずれかに記載の情報表示装置であって、さらに、
前記特定人を識別するための識別情報を入力する識別情報入力部を備え、
前記表示制御部は、前記第２の表示領域に、前記特定人向けの情報として、前記入力された識別情報に対応する個別情報を表示する、
情報表示装置。
【発明の詳細な説明】
【技術分野】
【０００１】
本発明は、情報表示装置に関し、詳しくは、不特定多数人が見るための情報表示装置の表示画面の一部の領域に、特定の個人向けの情報を表示する技術に関するものである。
【背景技術】
【０００２】
従来、例えば、銀行などの公共機関には、いわゆる大型ディスプレイが設置され、各種情報を表示することによって、種々の宣伝が行われている。そして、その表示内容に関心を持った個人は、さらに詳細な情報を得るために、パンフレットを取り寄せたり、インターネットを用いて知りたい情報を検索したりしていた。しかし、これらの作業を煩わしく思う場合があった。
【０００３】
大型ディスプレイの表示画面の一部の領域に、詳細情報も表示できるようにすれば、上述した煩わしさを解消し、大型ディスプレイの利便性を向上させることができる。しかし、詳細情報には、他人には見られたくない情報や、個人情報（以下、これらの情報を個人向け情報と呼ぶ）が含まれる場合がある。このため、単純に、大型ディスプレイの表示画面の一部の領域に、個人向け情報も表示できるようにするだけでは、個人情報の漏洩を招くおそれがある。
【０００４】
一方、２枚の偏光板を用いたり、液晶シャッタ付きメガネを用いたりして、特定人にしか表示画面に表示された表示内容が視認できないディスプレイが提案されている（下記特許文献１、特許文献２参照）
【０００５】
【特許文献１】特開２００１−２２２００４号公報
【特許文献２】特開２０００−３１０９６５号公報
【発明の開示】
【発明が解決しようとする課題】
【０００６】
しかし、上記特許文献に記載された技術では、特定人がディスプレイを専有することになるので、不特定多数の人に表示内容を見せるための大型ディスプレイに、上記特許文献に記載された技術を適用することは不適切である。また、大型ディスプレイと、個人向け情報を表示するための上記特許文献に記載されたディスプレイとを併設することも可能ではあるが、この場合には、システムの大型化を招き、ディスプレイの設置スペースを広くしなければならなくなる。
【０００７】
本発明は、上述の課題を解決するためになされたものであり、不特定多数の人が見るための大型ディスプレイの表示画面の一部の領域に、不特定多数の人には見られたくない個人向け情報を、秘匿性を確保しつつ、表示する技術を提供することを目的とする。
【課題を解決するための手段】
【０００８】
上述の課題の少なくとも一部を解決するため、本発明では、所定の情報を表示する情報表示装置に、以下の構成を採用した。すなわち、本発明の第１の情報表示装置は、前記情報を表示画面上に表示するための表示部と、前記表示画面上の一部に設置され、視野角を制限するための所定のフィルタと、前記表示部を制御する表示制御部と、を備え、前記表示制御部は、前記表示画面上において、前記フィルタが設置されていない領域を、第１の表示領域として設定するとともに、前記フィルタが設置されている領域を、第２の表示領域として設定し、前記第１の表示領域に、不特定多数人向けの情報を表示しつつ、前記第２の表示領域に、特定人向けの情報を表示するように、前記表示部を制御することを要旨とする。
【０００９】
こうすることによって、第１の表示領域には、不特定多数人がその表示内容を視認できるように不特定多数人向けの情報を表示しつつ、第２の表示領域に表示された特定人向けの情報を、フィルタのほぼ正面にいる特定人にしか視認できないようにすることができる。つまり、本発明によって、不特定多数の人が見るためのディスプレイの表示画面の一部の領域に、不特定多数の人には見られたくない個人向け情報を、秘匿性を確保しつつ、表示することができる。
【００１０】
上記情報表示装置において、前記フィルタは、前記表示画面上の所定の位置に固定されているようにしてもよい。
【００１１】
こうすることによって、フィルタの設置位置は予め既知であるため、フィルタの設置位置を検出するまでもなく、第１の表示領域、および、第２の表示領域の設定を、予め行っておくことができる。
【００１２】
また、本発明の第１の情報表示装置において、前記フィルタは、前記表示画面上の任意の位置に着脱自在に設置可能であり、前記情報表示装置は、さらに、前記フィルタが前記表示画面上に設置されたときに、該設置された領域を検出するための検出部を備え、前記表示制御部は、前記検出された領域を、前記第２の表示領域として設定するようにしてもよい。
【００１３】
こうすることによって、特定人は、表示画面上の任意の位置にフィルタを設置して、第２の表示領域に表示された個人向け情報を見ることができる。
【００１４】
上記情報表示装置において、前記表示画面上に前記フィルタが複数設置されたときに、前記表示制御部は、前記複数のフィルタのそれぞれに対応して、複数の前記第２の表示領域を設定するとともに、前記検出部は、前記複数のフィルタ間の距離を検出し、前記表示制御部は、前記検出された複数のフィルタ間の距離のうち、第１のフィルタと第２のフィルタとの間の距離が所定値以下のときに、前記第１のフィルタ、および、前記第２のフィルタのそれぞれに対応する前記第２の表示領域のうちの少なくとも１つについて、前記特定人向けの情報の表示を禁止するようにしてもよい。
【００１５】
表示画面上に複数のフィルタが設置された場合、複数のフィルタ間の距離が近すぎると、フィルタによって視野角を制限しても、各フィルタを設置した複数の特定人の間で、第２の表示領域に表示された表示内容が互いに視認できてしまう。本発明によって、この不具合を回避することができる。
【００１６】
また、上記検出部を備える情報表示装置において、前記表示画面上に前記フィルタが複数設置されたときに、前記表示制御部は、前記複数のフィルタのそれぞれに対応して、複数の前記第２の表示領域を設定するとともに、前記検出部は、前記複数のフィルタ間の距離を検出し、前記表示制御部は、前記検出された複数のフィルタ間の距離のうち、第１のフィルタと第２のフィルタとの間の距離が所定値以下のときに、前記第１のフィルタ、および、第２のフィルタのそれぞれに対応する前記第２の表示領域のうちの少なくとも１つに、前記特定人向けの情報が他人に見られるおそれがある旨の警告情報を表示するようにしてもよい。
【００１７】
こうすることによって、表示画面上に複数のフィルタが設置され、複数のフィルタ間の距離が近すぎる場合に、各フィルタを設置した特定人のうちの少なくとも一方は、第２の表示領域に表示された表示内容が他人に見られるおそれがあることを認識することができる。
【００１８】
本発明の第２の情報表示装置は、前記情報を表示画面上に表示するための表示部と、前記表示画面の前面の少なくとも一部に設置され、前記表示画面の少なくとも一部の領域の視野角を制御可能なフィルタ装置と、前記フィルタ装置を制御するフィルタ制御部と、前記表示部を制御する表示制御部と、を備え、前記表示制御部は、前記フィルタ装置が設置されている前記表示画面上において、所定領域を設定し、前記表示画面上において、前記設定された所定領域以外の領域を、第１の表示領域として設定するとともに、前記設定された所定領域を、第２の表示領域として設定し、前記第１の表示領域に、不特定多数人向けの情報を表示しつつ、前記第２の表示領域に、特定人向けの情報を表示するように、前記表示部を制御し、前記フィルタ制御部は、前記第２の表示領域に表示された表示内容を、前記特定人のみが視認可能なように、前記第２の表示領域の視野角が狭くなるように、前記フィルタ装置を制御することを要旨とする。
【００１９】
フィルタ装置としては、例えば、視野角を制御可能な透過型の液晶パネルが挙げられる。
【００２０】
本発明によって、先に説明した本発明の第１の情報表示装置と同様に、第１の表示領域には、不特定多数人がその表示内容を視認できるように不特定多数人向けの情報を表示しつつ、第２の表示領域に表示された特定人向けの情報を、第２の表示領域のほぼ正面にいる特定人にしか視認できないようにすることができる。つまり、本発明によって、不特定多数の人が見るためのディスプレイの画面の一部の領域に、不特定多数の人には見られたくない個人向け情報を、秘匿性を確保しつつ、表示することができる。
【００２１】
上記情報表示装置において、さらに、前記フィルタ装置が設置されている前記表示画面上において、前記特定人によって位置が指定されたときに、該指定された位置を検出するための検出部を備え、前記表示制御部は、前記検出された位置に基づいて、前記所定領域を設定するようにしてもよい。
【００２２】
本発明において、フィルタ装置は、表示画面の全面に設置されているようにすることが好ましい。こうすることによって、特定人は、表示画面上の任意の位置を指定して、第２の表示領域に表示された個人向け情報を見ることができる。
【００２３】
上述したいずれかの情報表示装置において、さらに、前記特定人を識別するための識別情報を入力する識別情報入力部を備え、前記表示制御部は、前記第２の表示領域に、前記特定人向けの情報として、前記入力された識別情報に対応する個別情報を表示するようにしてもよい。
【００２４】
本発明では、識別情報、および、個別情報は、所定の記憶装置に記憶され、管理される。そして、識別情報と、個別情報とは、関連付けられている。情報表示装置は、識別情報入力部に入力された識別情報に基づいて、識別情報に対応する個別情報を上記記憶装置から読み出し、表示する。
【００２５】
本発明によって、情報表示装置は、各特定人用に用意された個別情報を提供できるので、情報表示装置の利便性を向上させることができる。
【００２６】
本発明は、上述した種々の特徴を必ずしも全て備えている必要はなく、その一部を省略したり、適宜、組み合わせたりして構成することができる。本発明は、上述の情報表示装置としての構成の他、情報表示方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２７】
本発明をコンピュータプログラムまたはそのプログラムを記録した記録媒体等として構成する場合には、情報表示装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２８】
以下、本発明の実施の形態について、実施例に基づき以下の順序で説明する。
Ａ．第１実施例：
Ａ１．情報表示システムの構成：
Ａ２．個人向けコンテンツ表示処理：
Ａ３．個人向けコンテンツ表示禁止処理：
Ｂ．第２実施例：
Ｂ１．情報表示システムの構成：
Ｂ２．個人向けコンテンツの表示領域の設定方法：
Ｃ．変形例：
【００２９】
Ａ．第１実施例：
Ａ１．情報表示システムの構成：
図１は、本発明の第１実施例の情報表示システム１０００の概略構成を示す説明図である。この情報表示システム１０００は、通常時には、表示部の表示画面全面に不特定多数人向けの情報（一般向けコンテンツ）を表示し、個人向けの情報（個人向けコンテンツ）を見ようとした特定人が、表示部の表示画面に後述するフィルタ１０４を設置したときには、フィルタ１０４が設置された領域に個人向けコンテンツを表示するシステムである。本実施例では、情報表示システム１０００が、銀行の店内に設置されている場合を例に説明する。
【００３０】
情報表示システム１０００は、表示部１００と、表示部１００の表示画面の前面に設置された圧力検出装置１０２と、フィルタ１０４と、ＩＣカード読み取り装置１０６と、ＣＰＵ１１０と、表示制御部１２０と、フィルタ設置領域検出部１３０と、ＩＣカード読み取り制御部１４０と、一般向けコンテンツデータベース１５０と、ホストコンピュータ２００が備える記憶装置に記憶された個人情報管理データベース２１０、および、個人向けコンテンツデータベース２２０を備えている。一般向けコンテンツデータベース１５０は、ホストコンピュータ２００が備える記憶装置に記憶されているものとしてもよい。
【００３１】
本実施例では、フィルタ１０４は、表示部１００の表示画面上、すなわち、圧力検出装置１０２の表面に着脱自在に設置可能であるものとした。このフィルタ１０４は、圧力検出装置１０２の表面に設置したときに、フィルタ１０４のほぼ正面に位置する特定人のみが、表示部１００の表示画面におけるフィルタ１０４が設置されている表示領域に表示された表示内容を視認可能なように、視野角を制限するためのフィルタである。フィルタ１０４は、矩形形状を有しており、圧力検出装置１０２の表面に当接する側の面の四隅に、４つの突起部１０５ａ〜１０５ｄを備えている。なお、フィルタ１０４の形状は、矩形形状に限らず、他の形状であってもよい。また、突起部の数も４つに限られない。
【００３２】
ＣＰＵ１１０は、情報表示システム１０００の各部の制御を行う。フィルタ設置領域検出部１３０は、フィルタ１０４が、圧力検出装置１０２の表面に設置されたときに、圧力検出装置１０２を制御して、フィルタ１０４の各突起部１０５ａ〜１０５ｄが当接している点Ａ〜点Ｄに対応する表示部１００の表示画面上の各座標値を検出し、フィルタ１０４が設置されている表示画面上の領域を特定する。
【００３３】
ＩＣカード読み取り制御部１４０は、ＩＣカード読み取り装置１０６にＩＣカードが挿入されたときに、ＩＣカード読み取り装置１０６を制御して、ＩＣカードに記憶されている個人識別ＩＤを読み取る。
【００３４】
表示制御部１２０は、通常時には、一般向けコンテンツデータベース１５０から読み出された「資産運用情報」や、「貸付情報」等の一般向けコンテンツを、表示部１００の表示画面全面に表示するように、表示部１００を制御する。また、表示制御部１２０は、圧力検出装置１０２の表面にフィルタ１０４が設置されたときには、フィルタ設置領域検出部１３０によって特定された領域を、個人向けコンテンツを表示するための表示領域Ｒ２として設定するとともに、表示領域Ｒ２以外の領域を、一般向けコンテンツを表示するための表示領域Ｒ１として設定する。そして、表示制御部１２０は、表示領域Ｒ２に個人向けコンテンツデータベース２２０から読み出された個人向けコンテンツを表示するとともに、表示領域Ｒ１に一般向けコンテンツを表示するように、表示部１００を制御する。本実施例では、フィルタ１０４が設置された表示領域Ｒ２には、後述するように、ＩＣカード読み取り制御部１４０によって読み取られた個人識別ＩＤに対応する個人向けコンテンツを表示するものとした。
【００３５】
図２は、個人情報管理データベース２１０、および、個人向けコンテンツデータベース２２０の内容の一例を示す説明図である。図２（ａ）に、個人情報管理データベース２１０の内容の一例を示し、図２（ｂ）に、個人向けコンテンツデータベース２２０の内容の一例を示した。
【００３６】
図２（ａ）に示すように、個人情報管理データベース２１０には、個人識別ＩＤや、氏名や、住所や、口座残高等が対応付けて記録されている。また、図２（ｂ）に示すように、個人向けコンテンツデータベース２２０には、表示部１００の表示画面に表示中の一般向けコンテンツの内容ごとに、口座残高の範囲と、表示すべきコンテンツ名と、そのファイル名とが対応付けて記録されている。
【００３７】
例えば、表示部１００の表示画面に表示中の一般向けコンテンツの内容が「資産運用情報」であり、ＩＣカード読み取り制御部１４０によって読み取られた個人識別ＩＤが「１２３４５６７８」であるものとする。この場合、個人情報管理データベース２１０を参照することによって、個人識別ＩＤ「１２３４５６７８」に対応する「日立太郎」の口座残高は「５０万円」であることが分かる。口座残高「５０万円」は、個人向けコンテンツデータベース２２０において、口座残高の範囲「２０万円以上１００万円未満」に該当する。したがって、ＣＰＵ１１０は、個人向けコンテンツデータベース２２０から、「外貨預金情報」のファイル「Ｇａｉｋａ．ｓｗｆ」を読み出し、表示制御部１２０は、表示部１００の表示画面の表示領域Ｒ２に、「Ｇａｉｋａ．ｓｗｆ」の内容を表示する。
【００３８】
Ａ２．個人向けコンテンツ表示処理：
図３は、個人向けコンテンツ表示処理の流れを示すフローチャートである。表示部１００の表示画面に一般向けコンテンツが表示している。そして、特定人が、個人向けコンテンツを見るための、表示部１００の表示画面上、すなわち、圧力検出装置１０２の表面にフィルタ１０４を設置する。すると、ＣＰＵ１１０が、この個人向けコンテンツ表示処理を開始する。
【００３９】
まず、ＣＰＵ１１０は、フィルタ設置領域検出部１３０によって、フィルタ１０４の設置領域を検出する（ステップＳ１００）。
【００４０】
次に、ＣＰＵ１１０は、表示制御部１２０によって、ステップＳ１００において検出されたフィルタ１０４の設置領域を、個人向けコンテンツを表示するための表示領域Ｒ２として設定する（ステップＳ１１０）。このとき、ＣＰＵ１１０は、表示領域Ｒ２以外の領域を表示領域Ｒ１として設定する。
【００４１】
次に、ＣＰＵ１１０は、表示制御部１２０によって、フィルタ１０４を設置した特定人に対して、ＩＣカード読み取り装置１０６にＩＣカードを挿入するように指示するメッセージを、表示領域Ｒ２に表示する（ステップＳ１２０）。
【００４２】
次に、ＣＰＵ１１０は、ＩＣカード読み取り装置１０６にＩＣカードが挿入されたか否かを判断する（ステップＳ１３０）。
【００４３】
ＩＣカード読み取り装置１０６にＩＣカードが挿入されると（ステップＳ１３０：ＹＥＳ）、ＣＰＵ１１０は、ＩＣカード読み取り制御部１４０によって、ＩＣカードから個人識別ＩＤを取得する（ステップＳ１４０）。そして、ＣＰＵ１１０は、ステップＳ１４０において取得した個人識別ＩＤに対応する個人向けコンテンツを、個人向けコンテンツデータベース２２０から取得し（ステップＳ１５０）、その個人向けコンテンツを表示制御部１２０によって表示領域Ｒ２に表示する（ステップＳ１６０）。このとき、表示領域Ｒ１には、一般向けコンテンツが表示されている。
【００４４】
なお、上述した各処理の途中で、フィルタ１０４が表示部１００の表示画面から外された場合には、ＣＰＵ１１０は、個人向けコンテンツ表示処理を終了する。
【００４５】
Ａ３．個人向けコンテンツ表示禁止処理：
図４は、個人向けコンテンツ表示禁止処理の流れを示すフローチャートである。この処理は、ある特定人が表示部１００の表示画面上、すなわち、圧力検出装置１０２の表面にフィルタ１０４を設置し、個人向けコンテンツを見ているときに、さらに、他の特定人によって他のフィルタ１０４が設置されたときに、ＣＰＵ１１０が実行する処理である。
【００４６】
まず、ＣＰＵ１１０は、フィルタ設置領域検出部１３０によって、新たに設置されたフィルタ１０４の設置領域を検出する（ステップＳ２００）。
【００４７】
次に、ＣＰＵ１１０は、表示制御部１２０によって、ステップＳ２００において検出されたフィルタ１０４の設置領域を、個人向けコンテンツを表示するための表示領域Ｒ２として設定する（ステップＳ２１０）。
【００４８】
次に、ＣＰＵ１１０は、フィルタ設置領域検出部１３０によって、すでに設置されているフィルタ１０４と、新たに設置されたフィルタ１０４との距離Ｌを検出する（ステップＳ２２０）。本実施例では、フィルタ１０４間の距離Ｌとして、最近接距離を検出するものとした。
【００４９】
次に、ＣＰＵ１１０は、ステップＳ２２０において検出された距離Ｌが、閾値Ｌｔｈ以下であるか否かを判断する（ステップＳ２３０）。
【００５０】
ＣＰＵ１１０は、ステップＳ２２０において検出された距離Ｌが閾値Ｌｔｈよりも大きい場合には（ステップＳ２３０：ＮＯ）、図３に示したステップＳ１２０に進む。一方、ステップＳ２２０において検出された距離Ｌが閾値Ｌｔｈ以下である場合には（ステップＳ２３０：ＹＥＳ）、ＣＰＵ１１０は、表示制御部１２０によって、新たに設置されたフィルタ１０４に対応する表示領域Ｒ２に、個人向けコンテンツが他人に見られるおそれがある旨の警告情報を表示し（ステップＳ２４０）、個人向けコンテンツの表示を禁止する（ステップＳ２５０）。そして、個人向けコンテンツ表示禁止処理を終了する。
【００５１】
表示部１００の表示画面上に複数のフィルタ１０４が設置された場合に、複数のフィルタ１０４間の距離が近すぎることによって、フィルタ１０４によって視野角を制限しても、各フィルタ１０４を設置した複数の特定人の間で、表示領域Ｒ２に表示された表示内容が互いに視認できてしまう。上述した個人向けコンテンツ表示禁止処理によって、この不具合を回避することができる。
【００５２】
以上説明した第１実施例の情報表示システム１０００によれば、表示領域Ｒ１には、不特定多数人がその表示内容を視認できるように不特定多数人向けの情報を表示しつつ、表示領域Ｒ２に表示された特定人向けの情報を、フィルタ１０４のほぼ正面にいる特定人にしか視認できないようにすることができる。つまり、不特定多数の人が見るための表示部１００の表示画面の一部の領域に、不特定多数の人には見られたくない個人向け情報を、秘匿性を確保しつつ、表示することができる。
【００５３】
Ｂ．第２実施例：
Ｂ１．情報表示装置の構成：
図５は、本発明の第２実施例の情報表示システム１０００Ａの概略構成を示す説明図である。第２実施例の情報表示システム１０００Ａは、第１実施例の情報表示システム１０００におけるフィルタ１０４の代わりに、表示部１００と、圧力検出装置１０２との間に設置され、視野角を制御可能な透過型の液晶パネル１０３と、液晶パネル１０３の駆動を制御する液晶パネル制御部１３４とを備えている。本実施例では、液晶パネル１０３は、表示部１００の表示画面の全面に設置されているものとした。
【００５４】
液晶パネル制御部１３４は、表示部１００の表示画面上において、後述するように、表示領域Ｒ２が設定されたときに、表示領域Ｒ２のほぼ正面に位置する特定人のみが表示領域Ｒ２に表示された表示内容を視認可能なように、表示領域Ｒ２の視野角が狭くなるように、液晶パネル１０３の駆動を制御する。
【００５５】
また、第２実施例の情報表示システム１０００Ａは、第１実施例の情報表示システム１０００におけるフィルタ設置領域検出部１３０の代わりに、指定位置検出部１３２を備えている。この指定位置検出部１３２は、表示部１００の表示画面上、すなわち、圧力検出装置１０２の表面において、特定人によって、指やペンを用いて指定された位置を検出する。表示制御部１２０は、この指定された位置に基づいて、個人向けコンテンツを表示するための表示領域Ｒ２、および、一般向けコンテンツを表示するための表示領域Ｒ１の設定を行う。他の構成は、第１実施例の情報表示システム１０００と同じである。また、個人向けコンテンツ表示処理や、個人向けコンテンツ表示禁止処理も、表示領域Ｒ１、および、表示領域Ｒ２の設定方法以外は、第１実施例と同様である。
【００５６】
Ｂ２．個人向けコンテンツの表示領域の設定方法：
図６は、個人向けコンテンツの表示領域Ｒ２の設定方法の一例を示す説明図である。
【００５７】
図６（ａ）に示した例では、特定人は、表示部１００の表示画面上において、点Ｐ０を指で押す。そして、指定位置検出部１３２は、点Ｐ０の座標値を検出し、表示制御部１２０は、点Ｐ０を含む所定の矩形領域を、表示領域Ｒ２として設定する。
【００５８】
また、図６（ｂ）に示した例では、特定人は、表示部１００の表示画面上において、点Ｐ１を指で押し、そのまま点Ｐ２まで移動させ、点Ｐ２で指を離す。そして、指定位置検出部１３２は、点Ｐ１、および、点Ｐ２の座標値を検出し、表示制御部１２０は、点Ｐ１、および、点Ｐ２を端点とする線分を対角線とする矩形領域を、表示領域Ｒ２として設定する。
【００５９】
また、図６（ｃ）に示した例では、特定人は、表示部１００の表示画面上において、点Ｐ３を指で押し、さらに、点Ｐ４を指で押す。そして、指定位置検出部１３２は、点Ｐ３、および、点Ｐ４の座標値を検出し、表示制御部１２０は、点Ｐ３、および、点Ｐ４を端点とする線分を対角線とする矩形領域を、表示領域Ｒ２として設定する。
【００６０】
なお、ここでは、表示領域Ｒ２の形状は、矩形形状であるものとしたが、これに限られず、他の形状であってもよい。
【００６１】
以上説明した第２実施例の情報表示システム１０００Ａによっても、先に説明した第１実施例の情報表示システム１０００と同様に、表示領域Ｒ１には、不特定多数人がその表示内容を視認できるように不特定多数人向けの情報を表示しつつ、表示領域Ｒ２に表示された特定人向けの情報を、フィルタ１０４のほぼ正面にいる特定人にしか視認できないようにすることができる。つまり、不特定多数の人が見るための表示部１００の表示画面の一部の領域に、不特定多数の人には見られたくない個人向け情報を、秘匿性を確保しつつ、表示することができる。
【００６２】
Ｃ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００６３】
Ｃ１．変形例１：
上記第１実施例では、フィルタ１０４は、表示部１００の表示画面上に着脱自在に設置可能であるものとしたが、表示部１００の表示画面上に予め固定されているようにしてもよい。こうすることによって、フィルタ１０４の設置位置は予め既知であるため、圧力検出装置１０２、および、フィルタ設置領域検出部１３０は不要となる。また、表示領域Ｒ１、および、表示領域Ｒ２の設定を、予め行っておくことができる。ただし、上記第１実施例の情報表示システム１０００によれば、特定人は、表示部１００の表示画面上の任意の位置にフィルタ１０４を設置して、表示領域Ｒ２に表示された個人向け情報を見ることができるという利点がある。
【００６４】
Ｃ２．変形例２：
上記第１実施例では、個人向けコンテンツ表示禁止処理のステップＳ２５０において、表示領域Ｒ２への個人向けコンテンツの表示を禁止するものとしたが、このステップＳ２５０を省略してもよい。ステップＳ２４０において表示された警告情報によって、新たにフィルタ１０４を設置した特定人は、表示領域Ｒ２に表示される表示内容が他人に見られるおそれがあることを認識することができるからである。
【００６５】
Ｃ３．変形例３：
上記第１実施例では、個人向けコンテンツ表示禁止処理において、新たにフィルタ１０４を設置した特定人用の表示領域Ｒ２についてのみ、個人向けコンテンツの表示を禁止するものとしたが、先にフィルタ１０４を設置した特定人用の表示領域Ｒ２についても、個人向けコンテンツの表示を禁止するようにしてもよい。ステップＳ２４０における警告情報の表示についても同様である。
【００６６】
Ｃ４．変形例４：
上記第１実施例では、フィルタ１０４が備える４つの突起部１０５ａ〜１０５ｄを用いてフィルタ１０４の設置領域を検出するものとしたが、これに限られない。例えば、フィルタ１０４の四隅に、突起部１０５ａ〜１０５ｄの代わりに、４つのＩＣチップを備えるようにし、圧力検出装置１０２の代わりに、ＩＣチップを検出する検出装置を備えるようにしてもよい。こうすることによっても、上記第１実施例と同様に、表示部１００の表示画面上にフィルタ１０４が設置されたときに、フィルタ１０４の設置領域を検出することができる。
【００６７】
Ｃ５．変形例５：
上記第２実施例では、液晶パネル１０３は、表示部１００の表示画面の全面に設置されているものとしたが、これに限られない。例えば、表示領域Ｒ２として設定するサイズの液晶パネル１０３が、表示部１００の表示画面上の一部に、予め固定されているようにしてもよい。こうすることによって、液晶パネル１０３の設置位置は予め既知であるため、圧力検出装置１０２、および、指定位置検出部１３２は不要となる。また、表示領域Ｒ１、および、表示領域Ｒ２の設定を、予め行っておくことができる。ただし、上記第２実施例の情報表示システム１０００Ａによれば、特定人は、表示部１００の表示画面上の任意の位置を指定して、この指定位置に基づいて設定された表示領域Ｒ２に表示された個人向け情報を見ることができるという利点がある。
【図面の簡単な説明】
【００６８】
【図１】第１実施例の情報表示システム１０００の概略構成を示す説明図である。
【図２】個人情報管理データベース２１０、および、個人向けコンテンツデータベース２２０の内容の一例を示す説明図である。
【図３】個人向け情報表示処理の流れを示すフローチャートである。
【図４】個人向けコンテンツ表示禁止処理の流れを示すフローチャートである。
【図５】第２実施例の情報表示システム１０００Ａの概略構成を示す説明図である。
【図６】個人向けコンテンツの表示領域Ｒ２の設定方法の一例を示す説明図である。
【符号の説明】
【００６９】
１０００、１０００Ａ...情報表示システム
１００...表示部
１０２...圧力検出装置
１０３...液晶パネル
１０４...フィルタ
１０５ａ〜１０５ｄ...突起部
１０６...ＩＣカード読み取り装置
１１０...ＣＰＵ
１２０...表示制御部
１３０...フィルタ設置領域検出部
１３２...指定位置検出部
１３４...液晶パネル制御部
１４０...ＩＣカード読み取り制御部
１５０...一般向けコンテンツデータベース
２００...ホストコンピュータ
２１０...個人情報管理データベース
２２０...個人向けコンテンツデータベース
【図１】
2006162929.tif 000003
【図２】
2006162929.tif 000004
【図３】
2006162929.tif 000005
【図４】
2006162929.tif 000006
【図５】
2006162929.tif 000007
【図６】
2006162929.tif 000008